(57)【特許請求の範囲】
【請求項１】
電波により受信した質問信号に対して応答信号を電波で送信するＲＦＩＤタグ（１０、１０ａ）の前記応答信号のレベルを計測する前記ＲＦＩＤタグ（１０、１０ａ）の試験方法において、
送信アンテナ（１８）と受信アンテナ（１４）との間に前記ＲＦＩＤタグ（１０）を配置する前に、前記ＲＦＩＤタグ（１０）が配置される予定位置における前記質問信号の受信レベルが一定レベルとなるように初期設定するステップと、
前記送信アンテナ（１８）と前記受信アンテナ（１４）との間にある前記予定位置に前記ＲＦＩＤタグ（１０）を配置するステップと、
前記送信アンテナ（１８）から電波により前記質問信号を送信するステップと、
前記質問信号と、該質問信号に応答して前記ＲＦＩＤタグ（１０）から電波で送信される前記応答信号とを前記受信アンテナ（１４）により時系列で受信するステップと、
時系列上、最初に受信した前記質問信号の受信レベルと、次に受信した前記質問信号と前記応答信号の合成信号の受信レベルとから、前記応答信号の受信レベルを求める応答信号レベル計測ステップと、
他の前記ＲＦＩＤタグ（１０ａ）を前記ＲＦＩＤタグ（１０）と交換して同位置に配置する前に、前記送信アンテナ（１８）に接続されている前記ＲＦＩＤタグ（１０）に適合した質問器（２２）を、前記他のＲＦＩＤタグ（１０ａ）に適合する他の前記質問器（２２ａ）に交換して前記送信アンテナ（１８）に接続させるステップと、
前記他のＲＦＩＤタグ（１０ａ）を前記ＲＦＩＤタグ（１０）と交換して同位置に配置する前であって、前記他の質問器（２２ａ）を交換した後に、前記予定位置における前記質問信号の受信レベルが前記一定レベルとなるように初期設定するステップと、
前記他のＲＦＩＤタグ（１０ａ）を前記ＲＦＩＤタグ（１０）と交換して同位置に配置するステップと、
前記質問信号と、該質問信号に応答して前記他のＲＦＩＤタグ（１０ａ）から電波で送信される前記応答信号とを前記受信アンテナ（１４）により時系列で受信するステップと、
時系列上、最初に受信した前記質問信号の受信レベルと、次に受信した前記質問信号と前記応答信号の合成信号の受信レベルとから、前記応答信号の受信レベルを求める応答信号レベル計測ステップと、
前記ＲＦＩＤタグ（１０）の前記応答信号の受信レベルと、前記他のＲＦＩＤタグ（１０ａ）の前記応答信号の受信レベルとを比較する比較ステップと
を備えることを特徴とするＲＦＩＤタグの試験方法。
【請求項２】
電波により受信した質問信号に対して応答信号を電波で送信するＲＦＩＤタグ（１０、１０ａ）の前記応答信号のレベルを計測するＲＦＩＤタグ（１０、１０ａ）の試験システム（１２）において、
対向して配置される送信アンテナ（１８）と受信アンテナ（１４）と、
前記送信アンテナ（１８）と前記受信アンテナ（１４）との間に配置される前記ＲＦＩＤタグ（１０、１０ａ）と、
前記送信アンテナ（１８）に接続される前記ＲＦＩＤタグ（１０、１０ａ）に適合した質問器（２２、２２ａ）と、
前記受信アンテナ（１４）に接続される実時間波形観測装置（１７）と、を備え、
前記送信アンテナ（１８）と前記受信アンテナ（１４）との間に前記ＲＦＩＤタグ（１０）を配置する前に、前記ＲＦＩＤタグ（１０）が配置される予定位置における前記質問信号の受信レベルが一定レベルとなるように初期設定して、前記送信アンテナ（１８）と前記受信アンテナ（１４）との間にある前記予定位置に前記ＲＦＩＤタグ（１０）を配置させた後、前記質問器（２２）が前記送信アンテナ（１８）から電波により前記質問信号を送信させ、前記質問信号と、該質問信号に応答して前記ＲＦＩＤタグ（１０）から電波で送信される前記応答信号とを前記受信アンテナ（１４）により時系列で受信し、前記実時間波形観測装置（１７）は、最初に受信される前記送信アンテナ（１８）から電波により送信された前記質問信号と、次に受信される前記質問信号と該質問信号に応答して前記ＲＦＩＤタグ（１０）から電波で送信された応答信号の合成信号とを時間軸上に時系列で表示させ、
他の前記ＲＦＩＤタグ（１０ａ）を前記ＲＦＩＤタグ（１０）と交換して同位置に配置する前に、前記送信アンテナ（１８）に接続されている前記ＲＦＩＤタグ（１０）に適合した前記質問器（２２）を、前記他のＲＦＩＤタグ（１０ａ）に適合する他の前記質問器（２２ａ）に交換して前記送信アンテナ（１８）に接続させ、前記他のＲＦＩＤタグ（１０ａ）を前記ＲＦＩＤタグ（１０）と交換して同位置に配置する前であって、前記他の質問器（２２ａ）を交換した後に、前記予定位置における前記質問信号の受信レベルが前記一定レベルとなるように初期設定して、前記他のＲＦＩＤタグ（１０ａ）を前記ＲＦＩＤタグ（１０）と交換して同位置に配置し、
前記他の質問器（２２ａ）が前記送信アンテナ（１８）から電波により前記質問信号を送信させ、前記質問信号と、該質問信号に応答して前記他のＲＦＩＤタグ（１０ａ）から電波で送信される前記応答信号とを前記受信アンテナ（１４）により時系列で受信し、前記実時間波形観測装置（１７）は、最初に受信される前記送信アンテナ（１８）から電波により送信された前記質問信号と、次に受信される前記質問信号と該質問信号に応答して前記他のＲＦＩＤタグ（１０ａ）から電波で送信された応答信号の合成信号とを時間軸上に時系列で表示させる
ことを特徴とするＲＦＩＤタグの試験システム（１２）。
【発明の詳細な説明】
【技術分野】
【０００１】
この発明は、電波により受信した質問信号に対して、応答信号を電波で送信するＲＦＩＤタグの前記応答信号のレベルを計測するＲＦＩＤタグの試験方法及びその試験システムに関する。
【背景技術】
【０００２】
ＲＦＩＤシステムは、小電力近距離無線通信技術を使用したシステムであり、質問器（リーダ・ライタ）とＲＦＩＤタグとから構成される。質問器のアンテナから質問信号が連続的に送信され、この送信範囲（１ｍｍ程度から１０ｍ）内にＲＦＩＤタグが存在すると、前記質問信号を前記ＲＦＩＤタグ内の内蔵アンテナで受信し、受信した質問信号の応答信号を前記内蔵アンテナから送信する。この応答信号が質問器のアンテナで受信され、応答信号の内容が確認される。
【０００３】
このＲＦＩＤタグを利用した検査装置が提案されている（特許文献１）。特許文献１には、ＲＦＩＤタグに対して電波を送信する送信アンテナと、ＲＦＩＤタグからの電波を受信する受信部と、前記受信部で受信した電波の波形、強度の状態を判定する判定部とからなるＲＦＩＤタグを利用した検査装置が記載されている。
【０００４】
【特許文献１】特開２００４−３４７４４３号公報
【発明の開示】
【発明が解決しようとする課題】
【０００５】
ところで、ＲＦＩＤタグを実際に利用しようとする場合、応答信号の電波のレベルの大小が問題となる。リーダとライタの機能を備える質問器の受信感度の設計値を変更しなければならないからである。
【０００６】
しかも、たとえ応答信号の到達距離等が、仕様書の表記上同一仕様のＲＦＩＤタグであっても、応答信号の電波のレベルが異なる場合があり、特にＲＦＩＤタグの製造業者が異なると、応答信号の電波のレベルが大幅に異なる場合がある。
【０００７】
すなわち、同一仕様のＲＦＩＤにおいて、応答信号のレベルがばらついていることが分かった。このため、質問器は、最もレベルの低い応答信号に合わせることが必要となってくる。
【０００８】
そこで、ＲＦＩＤタグの応答信号のレベルを予め計測して把握しておく必要があるが、ＲＦＩＤタグの質問信号と応答信号とは同一の（キャリア）周波数であることから、周波数領域で測定を行うスペクトラムアナライザ等の波形観測装置では、応答信号のレベルを正確に計測できないという課題がある。
【０００９】
この発明はこのような課題を考慮してなされたものであり、ＲＦＩＤの応答信号のレベルを計測することを可能とするＲＦＩＤの試験方法及びそのシステムを提供することを目的とする。
【課題を解決するための手段】
【００１０】
この項では、理解の容易化のために添付図面中の符号を付けて説明する。したがって、この項に記載した内容がその符号を付けたものに限定して解釈されるものではない。
【００１１】
この発明は、下記の第一〜第三の特徴を有する。
【００１２】
請求項１に係るＲＦＩＤタグの試験方法は、電波により受信した質問信号に対して応答信号を電波で送信するＲＦＩＤタグ（１０、１０ａ）の前記応答信号のレベルを計測する前記ＲＦＩＤタグ（１０、１０ａ）の試験方法において、送信アンテナ（１８）と受信アンテナ（１４）との間に前記ＲＦＩＤタグ（１０）を配置する前に、前記ＲＦＩＤタグ（１０）が配置される予定位置における前記質問信号の受信レベルが一定レベルとなるように初期設定するステップと、前記送信アンテナ（１８）と前記受信アンテナ（１４）との間にある前記予定位置に前記ＲＦＩＤタグ（１０）を配置するステップと、前記送信アンテナ（１８）から電波により前記質問信号を送信するステップと、前記質問信号と、該質問信号に応答して前記ＲＦＩＤタグ（１０）から電波で送信される前記応答信号とを前記受信アンテナ（１４）により時系列で受信するステップと、時系列上、最初に受信した前記質問信号の受信レベルと、次に受信した前記質問信号と前記応答信号の合成信号の受信レベルとから、前記応答信号の受信レベルを求める応答信号レベル計測ステップと、他の前記ＲＦＩＤタグ（１０ａ）を前記ＲＦＩＤタグ（１０）と交換して同位置に配置する前に、前記送信アンテナ（１８）に接続されている前記ＲＦＩＤタグ（１０）に適合した質問器（２２）を、前記他のＲＦＩＤタグ（１０ａ）に適合する他の前記質問器（２２ａ）に交換して前記送信アンテナ（１８）に接続させるステップと、前記他のＲＦＩＤタグ（１０ａ）を前記ＲＦＩＤタグ（１０）と交換して同位置に配置する前であって、前記他の質問器（２２ａ）を交換した後に、前記予定位置における前記質問信号の受信レベルが前記一定レベルとなるように初期設定するステップと、前記他のＲＦＩＤタグ（１０ａ）を前記ＲＦＩＤタグ（１０）と交換して同位置に配置するステップと、前記質問信号と、該質問信号に応答して前記他のＲＦＩＤタグ（１０ａ）から電波で送信される前記応答信号とを前記受信アンテナ（１４）により時系列で受信するステップと、時系列上、最初に受信した前記質問信号の受信レベルと、次に受信した前記質問信号と前記応答信号の合成信号の受信レベルとから、前記応答信号の受信レベルを求める応答信号レベル計測ステップと、前記ＲＦＩＤタグ（１０）の前記応答信号の受信レベルと、前記他のＲＦＩＤタグ（１０ａ）の前記応答信号の受信レベルとを比較する比較ステップとを備えることを特徴とする。
【００１３】
請求項１に係る発明によれば、送信アンテナと受信アンテナとの間に配置されたＲＦＩＤタグに対し、前記送信アンテナから電波により送信された質問信号と、該質問信号に応答して前記ＲＦＩＤタグから電波で送信される応答信号とを受信アンテナにより時系列で受信し、時系列上、最初に受信した前記質問信号の受信レベルと、次に受信した前記質問信号と前記応答信号の合成信号の受信レベルとから、前記応答信号の受信レベルを求めることができる。
【００１４】
請求項１に係る発明によれば、前記ＲＦＩＤタグと前記他のＲＦＩＤタグとの前記応答信号のレベルを比較することができる。
【００１５】
請求項２に係るＲＦＩＤタグの試験システム（１２）は、電波により受信した質問信号に対して応答信号を電波で送信するＲＦＩＤタグ（１０、１０ａ）の前記応答信号のレベルを計測するＲＦＩＤタグ（１０、１０ａ）の試験システム（１２）において、対向して配置される送信アンテナ（１８）と受信アンテナ（１４）と、前記送信アンテナ（１８）と前記受信アンテナ（１４）との間に配置される前記ＲＦＩＤタグ（１０、１０ａ）と、前記送信アンテナ（１８）に接続される前記ＲＦＩＤタグ（１０、１０ａ）に適合した質問器（２２、２２ａ）と、前記受信アンテナ（１４）に接続される実時間波形観測装置（１７）と、を備え、前記送信アンテナ（１８）と前記受信アンテナ（１４）との間に前記ＲＦＩＤタグ（１０）を配置する前に、前記ＲＦＩＤタグ（１０）が配置される予定位置における前記質問信号の受信レベルが一定レベルとなるように初期設定して、前記送信アンテナ（１８）と前記受信アンテナ（１４）との間にある前記予定位置に前記ＲＦＩＤタグ（１０）を配置させた後、前記質問器（２２）が前記送信アンテナ（１８）から電波により前記質問信号を送信させ、前記質問信号と、該質問信号に応答して前記ＲＦＩＤタグ（１０）から電波で送信される前記応答信号とを前記受信アンテナ（１４）により時系列で受信し、前記実時間波形観測装置（１７）は、最初に受信される前記送信アンテナ（１８）から電波により送信された前記質問信号と、次に受信される前記質問信号と該質問信号に応答して前記ＲＦＩＤタグ（１０）から電波で送信された応答信号の合成信号とを時間軸上に時系列で表示させ、他の前記ＲＦＩＤタグ（１０ａ）を前記ＲＦＩＤタグ（１０）と交換して同位置に配置する前に、前記送信アンテナ（１８）に接続されている前記ＲＦＩＤタグ（１０）に適合した前記質問器（２２）を、前記他のＲＦＩＤタグ（１０ａ）に適合する他の前記質問器（２２ａ）に交換して前記送信アンテナ（１８）に接続させ、前記他のＲＦＩＤタグ（１０ａ）を前記ＲＦＩＤタグ（１０）と交換して同位置に配置する前であって、前記他の質問器（２２ａ）を交換した後に、前記予定位置における前記質問信号の受信レベルが前記一定レベルとなるように初期設定して、前記他のＲＦＩＤタグ（１０ａ）を前記ＲＦＩＤタグ（１０）と交換して同位置に配置し、前記他の質問器（２２ａ）が前記送信アンテナ（１８）から電波により前記質問信号を送信させ、前記質問信号と、該質問信号に応答して前記他のＲＦＩＤタグ（１０ａ）から電波で送信される前記応答信号とを前記受信アンテナ（１４）により時系列で受信し、前記実時間波形観測装置（１７）は、最初に受信される前記送信アンテナ（１８）から電波により送信された前記質問信号と、次に受信される前記質問信号と該質問信号に応答して前記他のＲＦＩＤタグ（１０ａ）から電波で送信された応答信号の合成信号とを時間軸上に時系列で表示させることを特徴とする。
【００１６】
請求項２に係る発明によれば、対向して配置される送信アンテナと受信アンテナとの間にＲＦＩＤタグが配置された状態で、実時間波形観測装置は、前記受信アンテナにより最初に受信される前記送信アンテナから電波により送信された質問信号と、次に受信される質問信号と該質問信号に応答して前記ＲＦＩＤタグから電波で送信された応答信号の合成信号とを、時間軸上に表示するようにしているので、時系列的に表示された質問信号のレベルと合成信号（質問信号と応答信号の合成信号）とのレベルの差から応答信号のレベルを求めることができる。
【発明の効果】
【００１７】
この発明によれば、質問信号の電波のレベルと、合成信号（質問信号と応答信号との合成信号）の電波のレベルとを時系列で求めるようにしているので、たとえＲＦＩＤタグの質問信号と応答信号とが同一の（キャリア）周波数であっても、応答信号のレベルを正確に計測することができる。
【００１８】
また、この発明によれば、ＲＦＩＤタグからの応答信号である二次放射電力を好適に測定でき、又同一条件下で、例えば製造業者の異なる複数のタグの相対的な性能評価が可能となる。さらに、電波暗室（暗箱）等の設備が不要であるので計測システムが簡便である。
【発明を実施するための最良の形態】
【００１９】
以下、この発明の実施形態について図面を参照して説明する。
【００２０】
図１Ａは、ＲＦＩＤタグ１０の応答信号のレベル（電力レベル）を求める試験システム１２の初期設定状態を示す模式的平面図である。
【００２１】
図１Ｂは、ＲＦＩＤタグ１０の応答信号のレベルを求める試験システム１２の計測状態を示す模式的平面図である。
【００２２】
なお、この実施形態におけるＲＦＩＤタグ１０のキャリア周波数は、ＵＨＦ帯（８６０［ＭＨｚ］帯〜９６０［ＭＨｚ］帯）である。
【００２３】
図２は、試験システム１２の動作説明に供されるフロー図である。
【００２４】
以下、このフロー図に基づいて、試験システム１２の構成及び動作について説明する。
【００２５】
ステップＳ１の初期設定において、図１Ａに示すように、ＲＦＩＤタグ１０の所定の地点｛（配置予定位置）｝Ｂに、一定電力設定の確認用としてダイポールアンテナ１４を配置する。
【００２６】
このダイポールアンテナ１４は、同軸ケーブル１６を介して実時間波形観測装置１７に接続される。この実施形態で、実時間波形観測装置１７は、Ｔｅｋｔｒｏｎｉｘ社製の型式ＲＳＡ３３０８Ａのリアルタイムスペクトラムアナライザを使用している。
【００２７】
また、ステップＳ１において、ダイポールアンテナ１４に対向させて（平行に）、所定の地点（質問信号の送信位置）Ａに、ダイポールアンテナ１８を配置する。
【００２８】
このダイポールアンテナ１８に対して、可変電力増幅器２０、質問器２２、及びホストＰＣ（ホストパーソナルコンピュータ）２４を接続する。
【００２９】
次に、ステップＳ２において、最初のＲＦＩＤシステムを構成するｘ社の質問器２２が接続されていることを確認する。なお、この実施形態では、ｘ社のＲＦＩＤシステム（質問器２２とＲＦＩＤタグ１０とから構成される。）と、ｙ社のＲＦＩＤシステム（他の質問器２２ａと他のＲＦＩＤタグ１０ａとから構成される。）のＲＦＩＤタグ１０、１０ａの応答信号のレベルを計測して比較することとする。
【００３０】
次いで、ステップＳ３において、ホストＰＣにより質問器２２を動作させる。このとき、質問器２２からのＲＦ信号の質問信号は、可変電力増幅器２０を通じて、地点Ａのダイポールアンテナ１８から送信されて、地点Ｂのダイポールアンテナ１４で受信され、受信されたＲＦ信号が同軸ケーブル１６を介して実時間波形観測装置１７に供給される。
【００３１】
そして、このステップＳ３において、実時間波形観測装置１７の画面上で観測される受信ＲＦ信号のレベル（波形の振幅）が所定の一定レベル（一定電力レベル）Ｐｃｏｎｓｔとなるように、可変電力増幅器２０の電力利得を調整する。一定レベルＰｃｏｎｓｔとなったとき、ホストＰＣ２４は、質問器２２の動作を停止させる。
【００３２】
なお、このステップＳ３のＲＦＩＤタグ１０の配置予定位置での受信電力の一定レベルＰｃｏｎｓｔの調整は、実時間波形観測装置１７に代替して、電力計を用いることができる。
【００３３】
また、ダイポールアンテナ１４は、後述する地点Ｃに配置されるアンテナであるが、地点Ｃに配置されるダイポールアンテナ１４と異なる専用の一定電力設定確認用アンテナ（初期設定用アンテナ）を設けてもよい。
【００３４】
次いで、ステップＳ４において、図１Ｂに示すように、地点Ｂから一定距離離れた所定の地点Ｃにダイポールアンテナ１４を、地点Ａのダイポールアンテナ１８と対向（平行）させて配置し、地点Ａと地点Ｃとの間の地点Ｂに、ＲＦＩＤタグ１０のダイポールアンテナ２６をダイポールアンテナ１４、１８と対向（平行）させて配置する。この場合、ダイポールアンテナ１８、２６、１４は、各素子が略平行に配置され、かつ給電点が略同一直線上に配置されている。
【００３５】
なお、ＲＦＩＤタグ１０は、図１Ｂに示すように、基本的には、基板上にダイポールアンテナ２６とＩＣチップ２８が搭載された構成となっている。この実施形態において、ＲＦＩＤタグ１０は、電池を内蔵しないパッシブタグとする。
【００３６】
次いで、ステップＳ６において、ホストＰＣ２４より質問器２２に対してコマンド（タグＩＤの連続読取）を送る。このコマンドに応じた質問信号が時点ｔ０において、質問器２２から、電力利得調整済の可変電力増幅器２０及びダイポールアンテナ１８を通じ、電波として送信される。
【００３７】
この電波は、地点ＢのＲＦＩＤタグ１０のダイポールアンテナ２６を通じてＩＣチップ２８に電力として供給される一方、地点Ｃのダイポールアンテナ１４を通じて受信され、同軸ケーブル１６を通じて実時間波形観測装置１７に供給される。
【００３８】
図３は、実時間波形観測装置１７の画面に表示される受信レベルＰの波形を示している。
【００３９】
時点ｔ０以降、最初に質問信号の受信レベルＰｑを有する波形が表示される。
【００４０】
次いで、所定時間経過後の時点ｔ１に対応するステップＳ７において、ＩＣチップ２８のＣＰＵは、電波により受信したコマンドを解釈し、自己のＲＯＭ中に記憶しているＩＤを応答信号としてダイポールアンテナ２６から電波で送信する。すなわち、質問信号を受けたＲＦＩＤタグ１０から応答信号の電波が二次放射される。
【００４１】
この応答信号の電波は、時点ｔ１から地点Ａのダイポールアンテナ１８により受信されると同時に地点Ｃのダイポールアンテナ１４により受信される。ただし、地点Ａにおいて、地点Ａのダイポールアンテナ１８により受信されても、可変電力増幅器２０は、双方向ではないので、質問器２２には、応答信号のＲＦ信号は伝送されない。したがって、質問器２２からは質問信号の連続的な送信が継続される。
【００４２】
その一方、ステップＳ８に示すように、質問信号と応答信号とが地点Ｃのダイポールアンテナ１４により受信され同軸ケーブル１６を通じて実時間波形観測装置１７に供給されるので、時点ｔ１から質問信号の受信レベルＰｑと応答信号の受信レベルＰａが合成された合成信号Ｐｓの受信レベルＰｓ（Ｐｓ＝Ｐｑ＋Ｐａ）を有する波形が表示される。
【００４３】
次いで、ステップ（応答信号レベル計測ステップ）Ｓ９において、応答信号の受信レベルＰａが、Ｐｓ−Ｐｑとして求められる。
【００４４】
以上のようにして、ｘ社のＲＦＩＤタグ１０の応答信号の受信レベルＰａを簡便に計測することができる。
【００４５】
なお、最初のＲＦＩＤタグ１０の応答信号の受信レベルＰａを計測した後、ステップＳ１０で、他のＲＦＩＤタグ１０ａの応答信号の受信レベルＰａ´と比較されるが、未だ、他のＲＦＩＤタグ１０ａの応答信号の受信レベルＰａ´が計測されていないのでこの処理はスキップされる。
【００４６】
次に、ｙ社のＲＦＩＤタグ（他のＲＦＩＤタグ１０ａ）の応答信号の受信レベルの計測処理について、図２のフロー図を再度利用して簡明に説明する。
【００４７】
この場合、ステップＳ１で説明した初期設定状態で、ステップＳ２で示すように、質問器２２が他の質問器２２ａに取り替えられる。
【００４８】
次いで、ステップＳ３において、ホストＰＣ２４により他の質問器２２ａを動作させる。このとき、他の質問器２２ａからのＲＦ信号の質問信号は、可変電力増幅器２０を通じて、地点Ａのダイポールアンテナ１８から送信され、地点Ｂのダイポールアンテナ１４で受信され、受信されたＲＦ信号が同軸ケーブル１６を介して実時間波形観測装置１７に供給される。
【００４９】
そして、このステップＳ３において、実時間波形観測装置１７で観測される受信ＲＦ信号のレベルが上述した一定レベル（一定電力レベル）Ｐｃｏｎｓｔと同レベルとなるように、可変電力増幅器２０の電力利得を調整する。一定レベルＰｃｏｎｓｔとなったとき、ホストＰＣ２４は、他の質問器２２ａの動作を停止させる。
【００５０】
次いで、ステップＳ４において、図１Ｂに示すように、地点Ｂから一定距離離れた所定の地点Ｃにダイポールアンテナ１４を、地点Ａのダイポールアンテナ１８と対向（平行）させて配置し、地点Ａと地点Ｃとの間の地点Ｂに、他のＲＦＩＤタグ１０ａのダイポールアンテナ２６をダイポールアンテナ１４、１８と対向（平行）させて配置する。
【００５１】
次いで、ステップＳ６において、ホストＰＣ２４より他の質問器２２ａに対してコマンド（タグＩＤの連続読取）を送る。このコマンドに応じた質問信号が時点ｔ３（図３参照）において、他の質問器２２ａ、電力利得調整済の可変電力増幅器２０、ダイポールアンテナ１８を通じ、電波として送信される。
【００５２】
この電波は、地点Ｂの他のＲＦＩＤタグ１０ａのダイポールアンテナ２６を通じてＩＣチップ２８に電力として供給される一方、地点Ｃのダイポールアンテナ１４を通じて受信され、同軸ケーブル１６を通じて実時間波形観測装置１７に供給される。
【００５３】
図３において、時点ｔ３以降、実時間波形観測装置１７の画面に、他の質問器２２ａの質問信号の受信レベルＰｑを有する波形が表示される。時点ｔ３以降の他の質問器２２ａの質問信号の受信レベルＰｑと、先に説明した時点ｔ０以降の質問器２２の質問信号の受信レベルＰｑとは、地点Ｂでの一定レベルＰｃｏｎｓｔに合わせる処理操作（ステップＳ３）を行っていることから、略同一のレベルとなる。
【００５４】
次いで、所定時間経過後の時点ｔ４に対応するステップＳ７において、他のＲＦＩＤタグ１０ａのＩＣチップ２８のＣＰＵは、電波により受信したコマンドを解釈し、自己のＲＯＭ中に記憶しているＩＤを応答信号としてダイポールアンテナ２６から電波で送信する。すなわち、質問信号を受けた他のＲＦＩＤタグ１０ａから応答信号の電波が二次放射される。
【００５５】
この応答信号の電波は、時点ｔ４から地点Ａのダイポールアンテナ１８により受信されると同時に地点Ｃのダイポールアンテナ１４により受信される。ただし、地点Ａにおいて、地点ＡのダイポールアンテナＡにより受信されても、可変電力増幅器２０は、双方向ではないので、質問器２２ａには、応答信号のＲＦ信号は伝送されない。したがって、質問器２２ａからは質問信号の連続的な送信が継続される。
【００５６】
その一方、ステップＳ８に示すように、質問信号と応答信号とは地点Ｃのダイポールアンテナ１４により受信され同軸ケーブル１６を通じて実時間波形観測装置１７に供給されるので、時点ｔ４から質問信号の他の質問器２２ａに係る受信レベルＰｑと、他のＲＦＩＤタグ１０ａに係る応答信号の受信レベルＰａ´が合成された合成信号の受信レベルＰｓ´（Ｐｓ´＝Ｐｑ＋Ｐａ´）を有する波形が表示される。
【００５７】
次いで、ステップ（応答信号レベル計測ステップ）Ｓ９において、応答信号の受信レベルＰａ´が、Ｐｓ´−Ｐｑとして求められる。
【００５８】
以上のようにして、ｙ社のＲＦＩＤタグ１０ａの応答信号の受信レベルＰａ´を計測することができる。
【００５９】
次いで、ステップＳ１０において、ｘ社のＲＦＩＤタグ１０の応答信号の受信レベルＰａとｙ社のＲＦＩＤタグ１０ａの応答信号の受信レベルＰａ´とが比較される。
【００６０】
このように上述の実施形態によれば、地点Ａから地点Ｃまでの所定距離間隔で配置された送信用のダイポールアンテナ１８と受信用のダイポールアンテナ１４との間に配置されたＲＦＩＤタグ１０に対し、質問器２２から可変電力増幅器２０を通じてダイポールアンテナ１８を介して電波により送信された質問信号と、該質問信号に応答してＲＦＩＤタグ１０から電波で送信される応答信号とをダイポールアンテナ１４により時系列で受信し、時系列上、最初に受信した前記質問信号の受信レベルＰｑと、次に受信した前記質問信号と前記応答信号の合成信号の受信レベルＰｓとから、前記応答信号の受信レベルＰａを求めることができる。
【００６１】
この場合、さらに、質問器２２を質問器２２ａに代替し、この質問器２２ａに適合する他のＲＦＩＤタグ１０ａを準備し、該他のＲＦＩＤタグ１０ａをＲＦＩＤタグ１０と入れ替えて同位置に配置し、該他のＲＦＩＤタグ１０ａに対し、ダイポールアンテナ１８から電波により送信された質問信号と、該質問信号に応答して該他のＲＦＩＤタグ１０ａから電波で送信される応答信号とをダイポールアンテナ１４により時系列で受信し、時系列上、最初に受信した前記質問信号の受信レベルＰｑと、次に受信した前記質問信号と前記応答信号の合成信号の受信レベルＰｓ´とから、前記応答信号の受信レベルＰａ´を求め、求めた他のＲＦＩＤタグ１０ａの前記応答信号の受信レベルＰａ´と、先に求めたＲＦＩＤタグ１０の前記応答信号の受信レベルＰａとの電力の大きさを比較することで、ＲＦＩＤタグ１０と他のＲＦＩＤタグ１０ａとの前記応答信号のレベルＰａ、Ｐａ´を比較することができる。
【００６２】
このように、質問信号の電波の受信レベルＰｑと、合成信号（質問信号と応答信号との合成信号）の電波の受信レベルＰｓ、Ｐｓ´とを時系列で求めるようにしているので、たとえＲＦＩＤタグ１０又は他のＲＦＩＤタグ１０ａの質問信号と応答信号とが同一の（キャリア）周波数であっても、応答信号の受信レベルＰａ、Ｐａ´を正確に計測することができる。
【００６３】
なお、この発明は、上述の実施形態に限らず、この明細書の記載内容に基づき、種々の構成を採り得ることはもちろんである。
【図面の簡単な説明】
【００６４】
【図１】図１Ａは、この発明のＲＦＩＤタグの試験方法の一実施形態が適用されたＲＦＩＤシステムの初期設定状態を示す模式的平面図、  図１Ｂは、ＲＦＩＤタグの応答信号のレベル計測中の状態を示す模式的平面図である。
【図２】図１Ａ、図１ＢのＲＦＩＤシステムの動作説明に供されるフロー図である。
【図３】図１Ａ、図１ＢのＲＦＩＤシステムの動作説明に供される実時間波形観測装置上の波形の模式図である。
【符号の説明】
【００６５】
１０、１０ａ…ＲＦＩＤタグ            １２…試験システム
１４、１８、２６…ダイポールアンテナ  １６…同軸ケーブル
１７…実時間波形観測装置              ２０…可変電力増幅器
２２、２２ａ…質問器                  ２４…ホストＰＣ
２８…ＩＣチップ
【図１】
0004673214.tif 000002
【図２】
0004673214.tif 000003
【図３】
0004673214.tif 000004